(57)【要約】      （修正有）【課題】投入口への指などの挿入を効果的に防止することができる安全性の高いシュレッダーを提供する。【解決手段】投入口３から投入された被裁断物２を回転刃１２で裁断し屑収容箱に排出するシュレッダー１において、固定壁１０と、固定壁から所定の間隔をあけて対向配置された可動壁２０と、によって投入口から回転刃への通路を形成し、可動壁を、通路が始端部において拡幅された際に終端部では狭まるように回動可能に構成した。想定される被裁断物よりも厚みのあるものが投入口に挿入された場合に、可動壁の回動によって通路の始端部が拡幅し、それに伴って通路が遮蔽されるので、誤って手などを投入口に挿入しても怪我を負う危険性が少ない。【選択図】図５
0003154633.tif 000002
【実用新案登録請求の範囲】
【請求項１】
投入口（３）から投入された被裁断物を回転刃（１２）で裁断し屑収容箱に排出するシュレッダー（１）において、
固定壁（１０）と、該固定壁（１０）から所定の間隔をあけて対向配置された可動壁（２０）と、によって前記投入口（３）から前記回転刃（１２）への通路を形成し、
前記可動壁（２０）を、前記通路が始端部において拡幅された際に終端部では狭まるように回動可能に構成したことを特徴とするシュレッダー。
【請求項２】
ハウジング（５）の所定部位を開口することによって前記投入口（３）を形成し、該投入口（３）からハウジング内部に向けて前記固定壁（１０）を連続形成し、ハウジング内部に設けられた取付部（５４）に前記可動壁（２０）を枢支させることによってシュレッダー（１）の外殻体を構成し、前記可動壁（２０）の枢支部（２２）から張り出した張出部（２３）によって前記通路を遮蔽するように構成したことを特徴とする請求項１に記載のシュレッダー。
【請求項３】
前記投入口（３）をハウジング（５）の上面（５１）に設けると共に、ハウジング上面（５１）の端縁部（５６）から前記固定壁（１０）の通路終端部までの長さを、規格の用紙サイズに対応させて設定したことを特徴とする請求項１又は請求項２に記載のシュレッダー。
【請求項４】
前記可動壁（２０）に、ハウジング（５）と略面一になってシュレッダー（１）の外郭体を構成する外壁部（２１）を連続形成したことを特徴とする請求項１〜請求項３の何れか１つの請求項に記載のシュレッダー。
【請求項５】
前記通路の終端部近傍に、前記可動壁（２０）の回動によって通路が遮蔽された際に被裁断物の先端部を逃がす空間部を設けたことを特徴とする請求項１〜請求項４の何れか１つの請求項に記載のシュレッダー。
【考案の詳細な説明】
【技術分野】
【０００１】
本考案は、紙やコンパクトディスク等の被裁断物を細かく裁断するためのシュレッダーに関し、特に、被裁断物の投入口に指などを入れることによる怪我を防止できるシュレッダーに関する。
【背景技術】
【０００２】
シュレッダーの投入口に、誤って指を入れることによる怪我の発生を防止するため技術として、例えば特許文献１に開示されたものがある。
特許文献１に開示の技術は、シュレッダーの投入口に人の指などの望ましくない対象物が進入するのを検知するために、投入口の近傍に人や動物の存在を検知する近接センサを設けるというものである。
【特許文献１】特開２００５−９５８９８
【考案の開示】
【考案が解決しようとする課題】
【０００３】
しかしながら、特許文献１に開示の技術には、人や動物などの望ましくないものと、裁断しようとする物とを区別して検知できる近接センサが必要である上に、センサの配設位置によっては、被裁断物を差し込む際の作業者の手などにも反応してしまい、裁断作業に支障を来す虞がある。
【０００４】
特に、被裁断物が挿入されると同時に自動的に回転刃が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
そこで、本考案は、簡単な構造でありながら、投入口に指などを入れることによる怪我の発生を防止できるシュレッダーの提供を目的とする。
【課題を解決するための手段】
【０００５】
上記課題を解決するために、本考案は、投入口から投入された被裁断物を回転刃で裁断し屑収容箱に排出するシュレッダーにおいて、固定壁と、該固定壁から所定の間隔をあけて対向配置された可動壁と、によって前記投入口から前記回転刃への通路を形成し、前記可動壁を、前記通路が始端部において拡幅された際に終端部では狭まるように回動可能に構成したことを特徴とするものである。
【０００６】
この場合、ハウジングの所定部位を開口することによって前記投入口を形成し、該投入口からハウジング内部に向けて前記固定壁を連続形成し、ハウジング内部に設けられた取付部に前記可動壁を枢支させることによってシュレッダーの外殻体を構成し、前記可動壁の枢支部から張り出した張出部によって前記通路を遮蔽するように構成してもよい。
【０００７】
また、前記投入口をハウジングの上面に設けると共に、ハウジング上面の端縁部から前記固定壁の通路終端部までの長さを、規格の用紙サイズに対応させて設定してもよい。
また、前記可動壁に、ハウジングと略面一になってシュレッダーの外郭体を構成する外壁部を連続形成してもよい。
また、前記通路の終端部近傍に、前記可動壁の回動によって通路が遮蔽された際に被裁断物の先端部を逃がす空間部を設けてもよい。
【考案の効果】
【０００８】
請求項１に係る考案は、固定壁と該固定壁から所定の間隔をあけて対向配置された可動壁とによって投入口から回転刃への通路を形成し、その可動壁を、通路が始端部において拡幅された際に終端部では狭まるように回動可能に構成したので、想定される被裁断物よりも厚みのあるものが投入口に挿入された場合に、可動壁の回動によって通路の始端部が拡幅し、それに伴って通路の終端部が狭められる。
これによって、その挿入物が回転刃に達するのを防止することができるので、作業者が誤って手などを投入口に挿入したり、幼児が悪戯で手を投入口に挿入したりすることがあっても、回転刃までの進入を阻害することができる。このため、回転刃によって怪我を負う危険性を低減できる。
【０００９】
請求項２に係る考案は、ハウジングの所定部位を開口することによって投入口を形成し、投入口からハウジング内部に向けて固定壁を連続形成し、ハウジング内部に設けられた取付部に可動壁を枢支させることによってシュレッダーの外殻体を構成したので、投入口から回転刃に至る通路を容易に形成することができる。
また、可動壁の枢支部に張出部を設け、可動壁が回動した際に、その張出部によって通路が遮蔽されるようにしたので、簡単な構成にも関わらず、想定外に厚みのあるものが通路に進入した際に、確実に回転刃への通路を遮断することができる。
【００１０】
請求項３に係る考案は、ハウジング上面の端縁部から固定壁の通路終端部までの長さを、Ａ４サイズ、B５サイズ、はがきサイズ等の規格の用紙サイズに設定したので、投入口に投入しようとしてハウジングの上面に載置した被裁断物が、ハウジングの上面から反対側に滑り落ちるのを防止できる。この場合の規格の用紙サイズとは、家庭用、コピー用紙裁断用、コンパクトディスク裁断用等のシュレッダーの用途に応じたものとする。
【００１１】
請求項４に係る考案は、ハウジングと略面一になって外郭体を構成する外壁部を可動壁に連続形成したので、コンパクトなデザインのシュレッダーの外殻体を構成することができる。
請求項５に係る考案は、通路の終端部近傍に、可動壁の回動によって通路が遮蔽された際に被裁断物の先端部を逃がす空間部を設けたので、通路が狭くなったり遮断されたりした際に、挿入物を安全な方向へと導くことができる。これによって、挿入物が勢いよく挿入された場合でも、狭窄又は遮蔽状態の可動壁に突進するといった事態を回避することができる。
【考案を実施するための最良の形態】
【００１２】
本考案の好適な実施形態について、添付図面に基づいて説明する。なお、実施形態は以下の形態に限定されるものではなく、本考案の課題を解決し得るものであれば他の態様も可能である。
【００１３】
図１は、本考案の実施形態のシュレッダー１を正面側から見た斜視図であり、図２は背面側から見た斜視図であり、図３は平面図である。
このシュレッダー１は、紙やコンパクトディスクなどのシート状の被裁断物を裁断するもので、投入口３から投入された被裁断物を、ハウジング５の内部に設けられた回転刃で裁断し、屑収容箱に排出するようになっている。
【００１４】
まず、シュレッダー１のハウジング５の構成について説明する。ハウジング５は、縦長直方体状の合成樹脂製の筺体からなり、正面には扉７が回動可能に取り付けられている。この扉７を開けば、図示しない屑収集箱が前方に引き出し可能に収容されている。
ハウジング５の上面５１は、図４に示すように、背面５２の側から中央部にかけて開口されており、その開口部をもって被裁断物の投入口３が形成される。また、ハウジング上面５１には背面側に向けて滑らかに傾斜する導入面９が形成されており（図５参照）、その導入面９に連続して、漏斗状に湾曲する固定壁１０が形成されている。
【００１５】
この固定壁１０は、後述する可動壁２０と共に導入面９から導入された被裁断物を回転刃１２に導くための通路を形成するものであり、その通路に逃げ空間Sを形成すべく、下端部の近傍を正面側に向けて若干窪ませている（図６参照）。
なお、図５に示すように、ハウジング上面５１の端縁部５６から固定壁１０の終端部までの長さＮを、Ａ４サイズ、B５サイズ、はがきサイズ等の規格の用紙サイズに設定すれば、投入口３に投入しようとしてハウジング上面５１に載置した被裁断物２がハウジング上面５１から反対側に滑り落ちるのを防止できる。
【００１６】
投入口３の両側からハウジング内部に向けて、図４に示すように、フレーム５３が設けられており、このフレーム５３に架設された取付部５４（図７参照）に、図８に示す可動壁２０が回動可能に取り付けられている（図６参照）。
この可動壁２０は、固定壁１０と共に被裁断物の回転刃１２への通路を形成するもので、幅の最も狭い終端部において約２ｍｍ〜１０ｍｍ程度の間隔Mを設けた状態で、固定壁１０と対向配置されている。
【００１７】
また、可動壁２０は、正面側に向けて若干湾曲しつつ上方に延び、上端部において背面側に屈曲している。この屈曲した部分２１（外壁部）は、可動壁２０を取付部５４を介してハウジング５に組み付けた際に、ハウジング５の上面５１と面一になって、シュレッダー１の外郭体を構成することとなる（図５参照）。
【００１８】
この可動壁２０は、下端部から所定長L上方に設けられた枢支軸２２によって、フレーム５３の取付部５４に回動可能に取り付けられている（図８及び図６参照）。つまり、可動壁２０が枢支軸２２を中心に通路の始端部が拡幅する方向に回動した際に、枢支軸２２から下端部に向けて張り出した部分（張出部２３）によって、通路を遮蔽するようになっている。この場合の張出部２３の張り出し長さ「L」は、固定壁１０と可動壁２０との間隔を考慮して適宜設計するものとする。
【００１９】
このように構成された固定壁１０と可動壁２０との下方には、図５に示すように、裁断作用を行うための一対の回転刃１２が配設されている。この回転刃１２は、筒状体の周面に鋭利な切断刃を多数設けたもので、２本の筒状体は、切断刃が対向するように水平に並列させて配置され、両端部において回転可能に支承されている。
【００２０】
この回転刃１２の上方（例えば、固定壁１０）には、図示しないセンサが取り付けられており、そのセンサが被裁断物２の通過を検知することによって、図示しない駆動モータが作動し、回転刃１２が回転するようになっている。
回転刃１２を回転させるための駆動モータは、ハウジング５に設けられた図示しない電源スイッチをＯＮにすることによって閉じる電源回路に接続されている。
【００２１】
上記回転刃１２を駆動させるための一連の機器は、ハウジング５の扉７を開けた際に表れる保護壁と、ハウジング５の扉７を開けて屑収集箱を引き出した際に回転刃１２と屑収集箱との間を遮蔽するシャッターとによって、裁断作業者が直接触れることがないようにしておくのが望ましい。
【００２２】
上記構成のシュレッダー１の使用方法を、図５を参照して説明する。
裁断作業を行う際には、図５（ａ）に示すように、被裁断物２を投入口３に投入する。この際、導入面９から漏斗状に湾曲する固定壁１０に向けて滑り込ませるように投入すると、離れた位置からでもスムーズに投入することができる。
このように投入された被裁断物２は、固定壁１０と可動壁２０とによって形成された通路を通過して回転刃１２に至る。この通過の際に、センサによって被裁断物２の通過が検知され、回転刃１２が駆動する。そして、回転状態の回転刃１２の間を被裁断物２が通過することによって、被裁断物２が回転刃１２に巻き込まれながら細かく裁断される。
【００２３】
このような裁断作業中に、図５（ｂ）に示すように、誤って投入口３に指を滑り込ませてしまった場合、可動壁２０の上端部が通路を拡幅する方向に回動し、それに伴って、可動壁２０下端の張出部２３が通路を狭める方向に回動し、通路が狭められる。
さらに、通路の奥深くまで指を挿入させた場合、張出部２３によって通路が遮蔽され、行き場を失った指は、図５（ｃ）に示すように、逃げ空間Ｓに入り込み、固定壁１０の壁面に当接して停止する。
【００２４】
これによって、万一、幼児がシュレッダー１の投入口３の奥深くまで指を挿入させるような悪戯をした場合であっても、指が回転刃１２に接触することはないので、シュレッダー１の投入口３における怪我の発生を防止できる。
なお、固定壁１０と可動壁２０との間隔Ｍを回転刃１２の裁断能力に応じた幅に設計しておけば、裁断可能枚数を超えて被裁断物が投入された場合に、可動壁２０が通路を拡幅する方向に回動するので、下端の張出部２３によって通路の終端部が狭くなり、回転刃１２への供給量を制限することができる。
【００２５】
これによって、被裁断物を適量ずつ回転刃１２に送り込むことができるようになるので、被裁断物が回転刃１２に噛み込まれ、回転刃１２が停止するといった事態を防止することができる。また、被裁断物が回転刃１２に噛み込まれることによる回転刃１２の破損を防止することもできる。
【００２６】
なお、本実施形態においては、固定壁１０を投入口３からハウジング５の内部に向けて同一部材によって連続形成したが、固定壁をハウジング５とは別部材で形成してもよい。
また、可動壁は、通路が始端部で拡幅された際に終端部では狭まるように回動するのであれば、いかなる構造であってもよい。
【００２７】
また、本実施形態の可動壁２０には、ハウジング５と略面一になって外郭体を構成する外壁部２１が連続形成されているが、外壁部２１を設けない構成であってもよい。この場合、ハウジング５の上面５１が可動壁２０の上端まで達するようにしておくのが望ましい。
また、通路の終端部近傍に、必ずしも逃げ空間Ｓを設ける必要もない。この場合、可動壁２０の回動によって通路が遮蔽された際には、被裁断物の先端部は可動壁２０の張出部２３に当接して停止することとなる。
【００２８】
また、ハウジング５の上面５１の端縁部５６から固定壁１０の終端部までの長さＮは、必ずしも用紙サイズに応じたものでなくともよい。
また、被裁断物の通路は必ずしも湾曲状に形成する必要もない。
さらに、シュレッダー１の投入口は、ハウジング５の直上から投入するような構造でもよいし、ハウジング５の側面等に設けてもよい。
【産業上の利用可能性】
【００２９】
本考案は、業務用及び家庭用のシュレッダーに使用することができる。
【図面の簡単な説明】
【００３０】
【図１】本考案の実施形態に係るシュレッダーを正面側から見た斜視図である。
【図２】上記シュレッダーを背面側から見た斜視図である。
【図３】上記シュレッダーの平面図である。
【図４】上記シュレッダーの内部からハウジングの上面及び背面を見た説明図である。
【図５】上記シュレッダーの使用状態を示す説明図である。
【図６】上記シュレッダーの固定壁と可動壁によって構成された通路を示す斜視図である。
【図７】上記固定壁と取付部を示す斜視図である。
【図８】上記可動壁を示す斜視図である。
【符号の説明】
【００３１】
１・・・シュレッダー
２・・・被裁断紙
３・・・投入口
５・・・ハウジング
７・・・扉
９・・・導入面
１０・・・固定壁
１２・・・回転刃
２０・・・可動壁
２１・・・屈曲した部分（外壁部）
２２・・・枢支軸（枢支部）
２３・・・張出部
５１・・・上面
５２・・・背面
５３・・・フレーム
５４・・・取付部
５６・・・端縁部
Ｓ・・・逃げ空間（空間部）
【図１】
0003154633.tif 000003
【図２】
0003154633.tif 000004
【図３】
0003154633.tif 000005
【図４】
0003154633.tif 000006
【図５】
0003154633.tif 000007
【図６】
0003154633.tif 000008
【図７】
0003154633.tif 000009
【図８】
0003154633.tif 000010